(57)【要約】      （修正有）【課題】研修時に、介護者としての基本的な各種の疑似体験を得るための高齢者疑似体験用装着セットを提供する。【解決手段】高齢者の身体状況を、介護者の疑似体験として、身体への装着具で理解するために、高齢者疑似体験用装着セットとして、肩口から胸部にかけて吊り下げた重錘を胸部に設けたポケット内に保持したベストと、肘を中心として腕周りに巻きつけて、伸縮性バンドで固定する肘サポータ６と、膝を中心として脚部周りに巻きつけて、伸縮性バンドで固定する膝サポータ８とを装備することを特徴とする。【選択図】図６
0003101007.tif 000002
【実用新案登録請求の範囲】
【請求項１】
高齢者の身体状況を、介護者の擬似体験として、身体への装着具で理解するための高齢者擬似体験用装着セットであって、肩口から胸部にかけて吊り下げた重錘を胸部に設けたポケット内に保持したベストと、肘を中心として腕周りに巻きつけて、伸縮性バンドで固定する肘サポータと、膝を中心として脚部周りに巻きつけて、伸縮性バンドで固定する膝サポータとを装備することを特徴とする高齢者疑似体験用装着セット。
【請求項２】
前記肘サポータおよび／または膝サポータは、サポータの長手方向に伸びるシーネ（添え木）を装着してあることを特徴とする、請求項１に記載の高齢者疑似体験用装着セット。
【請求項３】
手の動きを抑制する弾性部材を装着した手袋を更に含むことを特徴とする請求項１または２に記載の高齢者疑似体験用装着セット。
【請求項４】
内股になるように重錘をバランスしたシューズを更に含むことを特徴とする請求項１ないし３の何れか１項に記載の高齢者疑似体験用装着セット。
【請求項５】
前記シューズの重錘は、クッション性の有る中敷にセットされていて、中敷は、左右にほぼ１０度の傾きを持たせた厚みに形成されていることを特徴とする、請求項４に記載の高齢者疑似体験用装着セット。
【請求項６】
視野狭窄を体験させるようにレンズ面を構成している眼鏡、聴覚障害を体験させるための耳栓を更に含むことを特徴とする請求項１ないし５の何れか１項に記載の高齢者疑似体験用装着セット。
【考案の詳細な説明】
【技術分野】
【０００１】
本考案は、高齢者の身体状況を、介護者の擬似体験として、身体への装着具で理解するための高齢者擬似体験用装着セットに関するものである。
【背景技術】
【０００２】
高齢者（身体障害者を含む）を介護する立場の者は、比較的若い健常者である場合が多く、高齢者の身体的な不自由さを具体的に理解することが難しい。この点を疑似体験させることは、介護者にとって、はなはだ有効である。
【０００３】
このため、従来から、手・足、視覚・聴覚などの個々の疾患部についての疑似体験用装着具が提唱されているが、介護者の研修用に、纏まった体験用具として、セットにしたものがなかった。
【考案の開示】
【考案が解決しようとする課題】
【０００４】
本考案は、上記事情に基づいてなされたもので、その目的とするところは、研修時に、介護者としての基本的な各種の疑似体験を得るための高齢者疑似体験用装着セットを提供することにある。
【課題を解決するための手段】
【０００５】
この目的達成のために、本考案では、高齢者の身体状況を、介護者の擬似体験として、身体への装着具で理解するために、高齢者擬似体験用装着セットとして、肩口から胸部にかけて吊り下げた重錘を胸部に設けたポケット内に保持したベストと、肘を中心として腕周りに巻きつけて、伸縮性バンドで固定する肘サポータと、膝を中心として脚部周りに巻きつけて、伸縮性バンドで固定する膝サポータとを装備することを特徴とする。
【０００６】
特に、前記肘サポータおよび／または膝サポータは、サポータの長手方向に伸びるシーネ（添え木）を装着してあることが、好ましい実施の形態として有効である。
【０００７】
また、手の動きを抑制する弾性部材を装着した手袋を更に含むことが、また、内股になるように重錘をバランスしたシューズを更に含むことが、それぞれ、好ましい実施の形態として有効である。
【０００８】
更に、前記シューズの重錘は、クッション性の有る中敷にセットされていて、中敷は、左右にほぼ１０度の傾きを持たせた厚みに形成されているとよい。また、従来からの、視野狭窄を体験させるようにレンズ面を構成している眼鏡、聴覚障害を体験させるための耳栓を更に含むことも、より詳しい疑似体験として、研修上、有効である。
【考案の効果】
【０００９】
このような疑似体験用装着セットを用いることで、介護の研修に際して、高齢者の介護についての疑似体験を基本的に得ることができる。これにより、研修の成果を向上することができ、効率的に、介護者の養成ができる。
【考案を実施するための最良の形態】
【００１０】
以下、本考案の高齢者疑似体験用装着セットについて、図示の実施例を参照して、具体的に説明する。
【実施例】
【００１１】
本考案の装着セットは、その基本部分として、肩口から胸部にかけて吊り下げた重錘１および２（前者は、筒状のつり紐１Ａ内に装着したソーセージ形のものであり、後者は、つり紐１Ａの下端に着脱可能に装着したメタル状のものである）を胸部に設けたポケット３で保持したベスト４と、肘を中心として腕周りに巻きつけて、マギック・ファスナー付きなどの伸縮性バンド５で固定する肘サポータ６と、膝を中心として脚部周りに巻きつけて、同じく、マジック・ファスナー付きなどの伸縮性バンド７で固定する膝サポータ８とを装備している。なお、ポケット３は、この実施例では底がなく、重錘２が完全に吊り下げ状態になるように工夫されている。また、ベスト４の背中には、サイズ調整用のバンド１Ｂが装着されている。
【００１２】
肘サポータ６および／または膝サポータ８は、サポータの長手方向に伸びる細いアルミロッド（若干の柔軟性を持たせている）からなるシーネ（添え木）６Ａおよび８Ａをそれぞれ装着してある。また、本考案の装着セットには、この実施例において、手袋本体９Ａに対して、甲側にゴム紐９Ｂを織り込んで、ごわごわしたものとし、掌側に握りをしにくくするゴム状抵抗片９Ｃを装着して、手の動きを抑制するような、弾性部材を装着した手袋９が含まれている。
【００１３】
また、本考案の装着セットには、この実施例において、内股になるように重錘１０をバランスしたシューズ１１が更に含まれている。この重錘１０は、クッション性の有る中敷１２にセットされていて、中敷１２は、左右にほぼ１０度の傾きを持たせた厚みに形成されている。
【００１４】
なお、この実施例では、一般にも採用されている、視野狭窄を体験させるようにレンズ面を構成している眼鏡、聴覚障害を体験させるための耳栓も、疑似体験用装着セットに含まれている（図示せず）。
【００１５】
このような構成の装着セットは、それぞれの装着具について、個別に高齢者の身体動作、特に、動きの速さなどを疑似体験できるだけでなく、複合して使用することで、各被介護者の身体条件に近い形での疑似体験もできる。即ち、ベスト１を着用することで、前進の動きに関しての動作の鈍さを体験でき、肘や膝の動きの鈍さ、苦痛感なども、肘サポータ６や膝サポータ８を着用して疑似体験できる。また、手袋９を着用することで、高齢者の握力などの疑似体験が得られる。特に、高齢者であって、視覚障害者（視野狭窄、白内障など）、聴覚障害者（難聴など）の生活動作を疑似体験することは、介護の際の有効な疑似体験となる。
【産業上の利用可能性】
【００１６】
本考案の高齢者疑似体験用装着セットは、通常の身体障害者についても、その介護者についての研修にも有効である。
【図面の簡単な説明】
【００１７】
【図１】本考案の装着セットの一部としての、ベストの正面及び背面図である。
【図２】同じく、装着セットの一部としての、肘サポータの正面及び背面図である。
【図３】同じく、装着セットの一部としての、膝サポータの正面及び背面図である。
【図４】同じく、装着セットの一部としての、手袋の正面及び背面図である。
【図５】同じく装着セットの一部としての、シューズおよび中敷の斜視図である。
【図６】本考案の装着セットを複合的に装着した状態を示す正面図である。
【符号の説明】
【００１８】
１，２    重錘
１Ａ    つり紐
１Ｂ    バンド
３    ポケット
４    ベスト
５    伸縮性バンド
６    肘サポータ
７    伸縮性バンド
８    膝サポータ
６Ａ、８Ａ    シーネ
９    手袋
９Ａ    手袋本体
９Ｂ    ゴム紐
９Ｃ    ゴム状抵抗片
１０    重錘
１１    シューズ
１２    中敷
【図１】
0003101007.tif 000003
【図２】
0003101007.tif 000004
【図３】
0003101007.tif 000005
【図４】
0003101007.tif 000006
【図５】
0003101007.tif 000007
【図６】
0003101007.tif 000008
【手続補正書】
【提出日】平成15年12月9日(2003.12.9)
【手続補正１】
【補正対象書類名】実用新案登録請求の範囲
【補正対象項目名】請求項１
【補正方法】変更
【補正の内容】
【請求項１】
高齢者の身体状況を、介護者の疑似体験として、身体への装着具で理解するために、高齢者疑似体験用装着セットとして、肩口から胸部にかけて吊り下げた重錘を胸部に設けたポケット内に保持したベストと、肘を中心として腕周りに巻きつけて、伸縮性バンドで固定する肘サポータと、膝を中心として脚部周りに巻きつけて、伸縮性バンドで固定する膝サポータとを装備することを特徴とする高齢者疑似体験用装着セット。
【手続補正２】
【補正対象書類名】実用新案登録請求の範囲
【補正対象項目名】請求項６
【補正方法】変更
【補正の内容】
【請求項６】
視野狭窄、白内障を体験させるようにレンズ面を構成している眼鏡、聴覚障害を体験させるための耳栓を更に含むことを特徴とする請求項１ないし５の何れか１項に記載の高齢者疑似体験用装着セット。
【手続補正３】
【補正対象書類名】明細書
【補正対象項目名】０００１
【補正方法】変更
【補正の内容】
【０００１】
本考案は、高齢者の身体状況を、介護者の疑似体験として、身体への装着具で理解するための高齢者疑似体験用装着セットに関するものである。
【手続補正４】
【補正対象書類名】明細書
【補正対象項目名】０００５
【補正方法】変更
【補正の内容】
【０００５】
この目的達成のために、本考案では、高齢者の身体状況を、介護者の疑似体験として、身体への装着具で理解するために、高齢者疑似体験用装着セットとして、肩口から胸部にかけて吊り下げた重錘を胸部に設けたポケット内に保持したベストと、肘を中心として腕周りに巻きつけて、伸縮性バンドで固定する肘サポータと、膝を中心として脚部周りに巻きつけて、伸縮性バンドで固定する膝サポータとを装備することを特徴とする。
【手続補正５】
【補正対象書類名】明細書
【補正対象項目名】０００８
【補正方法】変更
【補正の内容】
【０００８】
更に、前記シューズの重錘は、クッション性の有る中敷にセットされていて、中敷は、左右にほぼ１０度の傾きを持たせた厚みに形成されているとよい。また、従来からの、視野狭窄、白内障を体験させるようにレンズ面を構成している眼鏡、聴覚障害を体験させるための耳栓を更に含むことも、より詳しい疑似体験として、研修上、有効である。
【手続補正６】
【補正対象書類名】明細書
【補正対象項目名】００１１
【補正方法】変更
【補正の内容】
【００１１】
本考案の装着セットは、その基本部分として、肩口から胸部にかけて吊り下げた重錘１および２（前者は、筒状のつり紐１Ａ内に装着したソーセージ形のものであり、後者は、つり紐１Ａの下端に着脱可能に装着したメタル状のものである）を胸部に設けたポケット３で保持したベスト４と、肘を中心として腕周りに巻きつけて、マギック・ファスナー付きなどの伸縮性バンド５で固定する肘サポータ６と、膝を中心として脚部周りに巻きつけて、同じく、マジック・ファスナー付きなどの伸縮性バンド７で固定する膝サポータ８とを装備している。また、ベスト４の背中には、サイズ調整用のバンド１Ｂが装着されている。
【手続補正７】
【補正対象書類名】明細書
【補正対象項目名】００１２
【補正方法】変更
【補正の内容】
【００１２】
肘サポータ６および／または膝サポータ８は、サポータの長手方向に伸びる細いアルミロッド（若干の柔軟性を持たせている）からなるシーネ（添え木）６Ａおよび８Ａをそれぞれ装着してある。また、本考案の装着セットには、この実施例において、手袋本体９Ａに対して、掌側に握りをしにくくする空気袋９Ｃを装着して、手の動きを抑制するような、弾性部材を装着した手袋９が含まれている。
【手続補正８】
【補正対象書類名】明細書
【補正対象項目名】００１４
【補正方法】変更
【補正の内容】
【００１４】
なお、この実施例では、一般にも採用されている、視野狭窄、白内障を体験させるようにレンズ面を構成している眼鏡、聴覚障害を体験させるための耳栓も、疑似体験用装着セットに含まれている（図示せず）。
【手続補正９】
【補正対象書類名】明細書
【補正対象項目名】００１８
【補正方法】変更
【補正の内容】
【００１８】
１、２    重錘
１Ａ    つり紐
１Ｂ    バンド
３    ポケット
４    ベスト
５    伸縮性バンド
６    肘サポータ
７    伸縮性バンド
８    膝サポータ
６Ａ、８Ａ    シーネ
９    手袋
９Ａ    手袋本体
９Ｂ    ゴム紐
９Ｃ    空気袋
１０    重錘
１１    シューズ
１２    中敷
【手続補正１０】
【補正対象書類名】図面
【補正対象項目名】図３
【補正方法】変更
【補正の内容】
【図３】
0003101007.tif 000009
【手続補正１１】
【補正対象書類名】図面
【補正対象項目名】図６
【補正方法】変更
【補正の内容】
【図６】
0003101007.tif 000010